(57)【特許請求の範囲】
【請求項１】
前胴周り域および後胴周り域と、それら胴周り域の間に位置する股下域とを有するとともに、前記前後胴周り域に横方向へ延びる両端部と、前記前後胴周り域間に縦方向へ延びる両側部とを有し、肌当接側に位置する表面シートおよび肌非当接側に位置する裏面シートと、前記表裏面シートの間に介在して前記前胴周り域から前記股下域を通り前記後胴周り域まで連続する態様で延びる吸液性コアとから構成された使い捨て着用物品において、
前記表面シートの外面の側に位置して横方向へ延びる肌当接パネルが、前記前胴周り域と前記物品の縦寸法を二分する横中心線で区画された前記股下域の前半分とのうちの少なくとも該股下域の前半分に配置され、前記表面シートと前記パネルとの間に介在して横方向へ延びる不透液性プラスチックフィルムの仕切りシートが、前記横中心線近傍に配置され、
前記パネルが、前記仕切りシートを介して前記表面シートに固着された両側縁部と、前記両側縁部の間に位置し、前記表面シートに固着されていない中間部とを有し、
前記仕切りシートが、前記パネルに固着された上縁部と、前記表面シートに固着された下縁部と、前記上下縁部の間に位置してその断面形状がジグザグ状を有するように厚み方向へ折り畳まれた中央部とを有することを特徴とする前記着用物品。
【請求項２】
前記物品が、表面シートの外面の側に位置して縦方向へ延びる一対のシート状の防漏カフを有し、前記防漏カフが、前記両側部に固着されて縦方向へ延びる基部と、前記基部に並行して縦方向へ延びていて前記表面シートの上方へ起立性向を有する先端部と、横方向へ倒伏した状態で前記物品の前記両端部に固着された両端部とから形成され、縦方向へ延びる伸縮性弾性部材が、前記防漏カフの先端部に収縮可能に取り付けられ、
前記パネルと前記仕切りシートとが、前記防漏カフの間に配置され、前記パネルの中間部のうちの少なくとも前記横中心線の側に位置する内端部分の両側が、前記防漏カフの先端部に固着され、前記パネルの中間部が、前記防漏カフの先端部の起立にともなって前記表面シートの上方へ持ち上げられ、前記仕切りシートの中央部が、前記表面シートと前記パネルとの間に排泄物に対する障壁を形成している請求項１記載の着用物品。
【請求項３】
弾性的な伸縮性を有して横方向へ延びるスペーサが、前記表面シートと前記パネルとの間に伸長下に配置され、前記スペーサが、前記パネルの両側縁部に固着された両端縁部と、前記両端縁部の間に位置して前記パネルに非固着の伸縮部とを有し、前記パネルの両側縁部どうしが、前記スペーサの収縮力によって前記物品の横方向内方へ引き寄せられ、前記パネルの中間部が、前記表面シートの上方に向かって横方向へ弧を画き、前記仕切りシートの中央部が、前記表面シートと前記パネルとの間に排泄物に対する障壁を形成している請求項１または請求項２に記載の着用物品。
【請求項４】
前胴周り域および後胴周り域と、それら胴周り域の間に位置する股下域とを有するとともに、前記前後胴周り域に横方向へ延びる両端部と、前記前後胴周り域間に縦方向へ延びる両側部とを有し、肌当接側に位置する表面シートおよび肌非当接側に位置する裏面シートと、前記表面シートの外面の側に位置して縦方向へ延びる一対のシート状の防漏カフと、前記表裏面シートの間に介在して前記前胴周り域から前記股下域を通り前記後胴周り域まで連続する態様で延びる吸液性コアとから構成され、前記防漏カフが、前記両側部に固着されて縦方向へ延びる基部と、前記基部に並行して縦方向へ延びていて前記表面シートの上方へ起立性向を有する先端部と、横方向へ倒伏した状態で前記物品の前記両端部に固着された両端部とから形成され、縦方向へ延びる伸縮性弾性部材が、前記防漏カフの先端部に収縮可能に取り付けられた使い捨て着用物品において、
前記表面シートの外面の側に位置して前記防漏カフ間を横方向へ延びる肌当接パネルが、前記前胴周り域と前記物品の縦寸法を二分する横中心線で区画された前記股下域の前半分とのうちの少なくとも該股下域の前半分に配置され、前記表面シートと前記パネルとの間に介在して前記防漏カフ間を横方向へ延びる不透液性のプラスチックフィルムの仕切りシートが、前記横中心線近傍に配置され、
前記パネルが、前記仕切りシートを介して表面シートに固着されるとともに、前記防漏カフの前記先端部に固着された両側縁部と、前記両側縁部の間に位置し、前記表面シートに固着されていない中間部とを有し、
前記仕切りシートが、前記パネルに固着された上縁部と、前記表面シートに固着された下縁部と、前記上下縁部の間に位置してその断面形状がジグザグ状を有するように厚み方向へ折り畳まれた中央部とを有し、
前記パネルの前記両側縁部と前記中間部とが、前記防漏カフの前記先端部の起立にともなって前記表面シートの上方へ持ち上げられ、前記仕切りシートの中央部が、前記表面シートと前記パネルとの間に排泄物に対する障壁を形成していることを特徴とする前記着用物品。
【請求項５】
前記防漏シートの自由部と、前記パネルの両側縁部とを固着する接着剤が、前記縦方向において前記パネルの前端から後端まで連続する態様で延びている請求項４に記載の着用物品。
【請求項６】
前記パネルが、互いに重なり合う２枚の親水性繊維不織布のみから形成され、前記仕切りシートが、前記パネルの後端に配置されている請求項１ないし５のいずれかに記載の着用物品。
【請求項７】
前記パネルが、２枚の親水性繊維不織布と、２枚の前記親水性繊維不織布に包被された吸収性芯材とから形成され、前記吸収性芯材が、吸液性コアとウレタンフォームとのいずれか一方であり、
前記仕切りシートが、前記パネルの後端に配置されている請求項１ないし４のいずれかに記載の着用物品。
【請求項８】
前記パネルが、肌当接側に位置する少なくとも１枚の吸水性シートと、肌非当接側に位置する不透液性シートと、前記吸水性シートと前記不透液性シートとの間に介在する吸収性芯材とから形成され、前記吸収性芯材が、吸液性コアと内部に複数の気泡を有するフォームとのいずれか一方であり、
前記仕切りシートが、前記パネルの後端に配置されている請求項１ないし４のいずれかに記載の着用物品。
【請求項９】
前記仕切りシートの両側縁部が前記表面シートに固着されていない請求項４または５に記載の着用物品。
【発明の詳細な説明】
【技術分野】
【０００１】
本発明は、排泄物を吸収、保持する使い捨て着用物品に関する。
【背景技術】
【０００２】
前胴周り域および後胴周り域と、それら胴周り域の間に位置する股下域とを有するとともに、前後胴周り域に横方向へ延びる両端部と、前後胴周り域間に縦方向へ延びる両側部とを有し、肌当接側に位置する透液性表面シートおよび肌非当接側に位置する不透液性裏面シートと、縦方向へ延びる伸縮性弾性部材が収縮可能に取り付けられて表面シートの上方へ起立性向を有する一対の不透液性防漏カフと、表裏面シートの間に介在して前後胴周り域間に延びる吸液性コアとから構成され、コアに縦方向へ所定寸法離間して横方向へ延びる複数の隆起部が形成され、表面シートにその外面から上方へ起立可能なシート部材が取り付けられた使い捨て着用物品がある（特許文献１参照）。【０００３】
隆起部は、物品の縦寸法を二分する横中心線で区画された股下域の後半分と後胴周り域とに形成されている。シート部材は、横中心線近傍に配置されている。この物品は、股下域の後半分と後胴周り域とに排泄された軟便の流動が隆起部とシート部材とによって阻止され、軟便が股下域の前半分と前胴周り域とへ流動することがなく、軟便による性器の汚れを防ぐことができる。
【特許文献１】特開平１１−３１８９７６号公報
【発明の開示】
【発明が解決しようとする課題】
【０００４】
特許文献１に開示の物品では、着用者の股間部で股下域が横方向内方へ押圧されつつ股下域に着用者の体圧がかかると、シート部材が容易に倒伏する。シート部材が倒伏すると、シート部材が軟便の流動を阻止する障壁として機能せず、軟便がシート部材を乗り越えて股下域の前半分と前胴周り域とに向かって流動してしまう場合がある。この物品は、着用者の性器が表面シートの外面に接し、性器が表面シートから離れることがないので、軟便が股下域の前半分と前胴周り域とに流動すると、表面シートの外面を拡散する軟便によって性器が汚れてしまう場合がある。【０００５】
本発明の目的は、軟便の流動を阻止することができ、軟便による性器の汚れを確実に防ぐことができる使い捨て着用物品を提供することにある。
【課題を解決するための手段】
【０００６】
前記課題を解決するための本発明の第１の前提は、前胴周り域および後胴周り域と、それら胴周り域の間に位置する股下域とを有するとともに、前後胴周り域に横方向へ延びる両端部と、前後胴周り域間に縦方向へ延びる両側部とを有し、肌当接側に位置する表面シートおよび肌非当接側に位置する裏面シートと、表裏面シートの間に介在して前胴周り域から股下域を通り後胴周り域まで連続する態様で延びる吸液性コアとから構成された使い捨て着用物品である。
【０００７】
前記第１の前提における本発明の第１の特徴は、表面シートの外面の側に位置して横方向へ延びる肌当接パネルが、前胴周り域と物品の縦寸法を二分する横中心線で区画された股下域の前半分とのうちの少なくとも該股下域の前半分に配置され、表面シートとパネルとの間に介在して横方向へ延びる不透液性プラスチックフィルムの仕切りシートが、横中心線近傍に配置され、パネルが、仕切りシートを介して表面シートに固着された両側縁部と、両側縁部の間に位置し、表面シートに固着されていない中間部とを有し、仕切りシートが、パネルに固着された上縁部と、表面シートに固着された下縁部と、上下縁部の間に位置してその断面形状がジグザグ状を有するように物品の厚み方向へ折り畳まれた中央部とを有することにある。本発明は、物品の着用中に着用者の股間部によって股下域が横方向内方へ押圧されることで、パネルの両側縁部間の離間寸法が縮まるとともに、パネルの中間部が横方向へ弧を画きつつ表面シートの外面から上方へ離間し、パネルと表面シートとの間に延びる仕切りの中央部が展開して物品の厚み方向へ立ち上がる障壁を形成する。
【０００８】
前記第１の特徴を有する本発明は、以下の実施態様を有する。
（１）物品が、表面シートの外面の側に位置して縦方向へ延びる一対のシート状の防漏カフを有し、防漏カフが、両側部に固着されて縦方向へ延びる基部と、基部に並行して縦方向へ延びていて表面シートの上方へ起立性向を有する先端部と、横方向へ倒伏した状態で物品の両端部に固着された両端部とから形成され、縦方向へ延びる伸縮性弾性部材が、防漏カフの先端部に収縮可能に取り付けられ、パネルと仕切りシートとが、防漏カフの間に配置され、パネルの中間部のうちの少なくとも横中心線の側に位置する内端部分の両側が、防漏カフの先端部に固着され、パネルの中間部が、防漏カフの先端部の起立にともなって表面シートの上方へ持ち上げられ、仕切りの中央部が、表面シートとパネルとの間に排泄物に対する障壁を形成している。
（２）弾性的な伸縮性を有して横方向へ延びるスペーサが、表面シートとパネルとの間に伸長下に配置され、スペーサが、パネルの両側縁部に固着された両端縁部と、両端縁部の間に位置してパネルに非固着の伸縮部とを有し、パネルの両側縁部どうしが、スペーサの収縮力によって物品の横方向内方へ引き寄せられ、パネルの中間部が、表面シートの上方に向かって横方向へ弧を画き、仕切りシートの中央部が、表面シートとパネルとの間に排泄物に対する障壁を形成している。
【０００９】
前記課題を解決するための本発明の第２の前提は、前胴周り域および後胴周り域と、それら胴周り域の間に位置する股下域とを有するとともに、前後胴周り域に横方向へ延びる両端部と、前後胴周り域間に縦方向へ延びる両側部とを有し、肌当接側に位置する表面シートおよび肌非当接側に位置する裏面シートと、表面シートの外面の側に位置して縦方向へ延びる一対のシート状の防漏カフと、表裏面シートの間に介在して前胴周り域から股下域を通り後胴周り域まで連続する態様で延びる吸液性コアとから構成され、防漏カフが、両側部に固着されて縦方向へ延びる基部と、基部に並行して縦方向へ延びていて表面シートの上方へ起立性向を有する先端部と、横方向へ倒伏した状態で物品の両端部に固着された両端部とから形成され、縦方向へ延びる伸縮性弾性部材が、防漏カフの先端部に収縮可能に取り付けられた使い捨て着用物品である。
【００１０】
前記第２の前提における本発明の第２の特徴は、表面シートの外面の側に位置して防漏カフ間を横方向へ延びる肌当接パネルが前胴周り域と物品の縦寸法を二分する横中心線で区画された股下域の前半分とのうちの少なくとも該股下域の前半分に配置され、表面シートとパネルとの間に介在して防漏カフ間を横方向へ延びる不透液性のプラスチックフィルムの仕切りシートが横中心線近傍に配置され、パネルが、仕切りシートを介して表面シートに固着されるとともに、防漏カフの先端部に固着された両側縁部と、両側縁部の間に位置し、表面シートに固着されていない中間部とを有し、仕切りシートが、パネルに固着された上縁部と、表面シートに固着された下縁部と、上下縁部の間に位置してその断面形状がジグザグ状を有するように物品の厚み方向へ折り畳まれた中央部とを有することにある。本発明は、防漏カフの先端部の起立にともなって、パネルの両側縁部と中間部とが表面シートの上方へ持ち上げられて表面シートの外面から上方へ離間し、パネルと表面シートとの間に延びる仕切りシートの中間部が展開して物品の厚み方向へ立ち上がる障壁を形成する。
【００１１】
第２の特徴を有する本発明は、以下の実施態様を有する。
（３）防漏シートの自由部と、パネルの両側縁部とを固着する接着剤が、縦方向においてパネルの前端から後端まで連続する態様で延びている。
（４）前記仕切りシートの両側縁部が前記表面シートに固着されていない。
前記第１および第２の特徴を有する本発明は、以下の実施態様を有する。
（５）パネルが、互いに重なり合う２枚の親水性繊維不織布のみから形成され、仕切りシートが、パネルの後端に配置されている。
（６）パネルが、２枚の親水性繊維不織布と、２枚の親水性繊維不織布に包被された吸収性芯材とから形成され、吸収性芯材が、吸液性コアとウレタンフォームとのいずれか一方であり、仕切りシートが、パネルの後端に配置されている。
（７）パネルが、肌当接側に位置する少なくとも１枚の吸水性シートと、肌非当接側に位置する不透液性シートと、吸水性シートと不透液性シートとの間に介在する吸収性芯材とから形成され、吸収性芯材が、吸液性コアとウレタンフォームとのいずれか一方であり、仕切りシートが、パネルの後端に配置されている。
【発明の効果】
【００１２】
本発明に係る使い捨て着用物品が着用されると、着用者の股間部によって股下域が横方向内方へ押圧されて、肌当接パネルの両側縁部間の離間寸法が縮まるとともに、パネルの中間部が横方向へ弧を画きつつ表面シートの外面から上方へ離間する。同時に、パネルと表面シートとの間に延びる仕切りの中間部が展開して物品の厚み方向へ立ち上がり、仕切りの中間部が股下域から前胴周り域に向かって延びるチャネルを構成する障壁を形成し、股下域の前半分や前胴周り域への軟便の流動が仕切りによって阻止される。この物品は、着用者の性器が表面シートの上方へ向かって弧を画くパネルの外面に当接し、性器を表面シートの外面から確実に離すことができる。このように、軟便が性器に付着することはなく、軟便による性器の汚れを防ぐことができる。この物品は、仕切りの中央部が軟便の流動を阻止する障壁を形成するので、軟便が表面シートの外面を拡散したとしても、軟便が股下域の前半分や前胴周り域へ流動することがなく、軟便による性器の汚れを確実に防ぐことができる。【００１３】
パネルの中間部のうちの少なくとも横中心線の側に位置する内端部分の両側が防漏カフの先端部に固着された物品は、防漏カフの先端部の起立にともなって、パネルの中間部が表面シートの上方へ持ち上げられて表面シートの外面から上方へ離間し、仕切りの中央部が展開して物品の厚み方向へ立ち上がり、仕切りの中央部が股下域から前胴周り域に向かって延びるチャネルを構成する障壁を形成する。この物品は、その着用中に着用者の股間部によって股下域が横方向内方へ押圧されることで、パネルの両側縁部間の離間寸法が縮まり、表面シートの上方へ持ち上げられたパネルの中間部が横方向へ弧を画きつつ防漏カフの先端部の上方へ突出する。このように、パネルに当接する性器を表面シートから確実に離すことができ、軟便による性器の汚れを確実に防ぐことができる。さらに、仕切りの中央部が軟便の流動を阻止する障壁を形成するので、軟便が表面シート上を拡散したとしても、股下域の前半分や前胴周り域への軟便の流動を確実に防ぐことができる。【００１４】
弾性的な伸縮性を有して横方向へ延びるスペーサが表面シートとパネルとの間に伸長下に配置された物品は、パネルの両側縁部どうしがスペーサの収縮力によって物品の横方向内方へ引き寄せられ、仕切りの中央部が展開して物品の厚み方向へ立ち上がり、仕切りの中央部が股下域から前胴周り域に向かって延びるチャネルを構成する障壁を形成する。この物品は、着用者の股間部によって股下域が横方向内方へ押圧されることで、パネルの両側縁部間の離間寸法が縮まるとともに、パネルの中間部が表面シートの上方に向かって確実に弧を画く。このようにして、パネルに当接する性器を表面シートから確実に離すことができ、軟便による性器の汚れを確実に防ぐことができる。さらに、仕切りの中央部が軟便の流動を阻止する障壁を形成するので、軟便が表面シートの外面を拡散したとしても、股下域の前半分や前胴周り域への軟便の流動を確実に防ぐことができる。【００１５】
パネルの両側縁部が防漏カフの先端部に固着された物品は、防漏カフの先端部の起立にともなって、パネルの両側縁部と中間部とが表面シートの上方へ持ち上げられて表面シートから上方へ離間し、表面シートとパネルとの間に延びる仕切りの中央部が展開して物品の厚み方向へ立ち上がる。その結果、仕切りの中央部が股下域から前胴周り域に向かって延びるチャネルを構成する障壁を形成する。この物品は、着用者の股間部によって股下域が横方向内方へ押圧されることで、パネルの両側縁部間の離間寸法が縮まるとともに、表面シートの上方へ持ち上げられたパネルの中間部が横方向へ弧を画きつつ防漏カフの先端部の上方へ突出する。このようにして、パネルに当接する性器を表面シートから確実に離すことができ、軟便による性器の汚れを確実に防ぐことができる。さらに、仕切りの中央部が軟便の流動を阻止する障壁を形成するので、軟便が表面シート上を拡散したとしても、股下域の前半分や前胴周り域への軟便の流動を確実に防ぐことができる。【００１６】
パネルが少なくとも１枚の吸水性シートから形成された物品は、排泄された尿が吸水性シートに吸収され、尿と大便との混ざり合いを防ぐことができる。このようにして、大便の流動化を防ぐことができ、流動化した大便による着用者の肌の汚れを防ぐことができる。【００１７】
パネルが吸水性シートと吸水性シートに包皮された吸収性芯材とから形成された物品は、パネルに排泄された尿が吸水性シートを透過して吸収性芯材に吸収保持される。このように、パネルに多量の尿を吸収させることができる。この物品は、尿と大便とが混ざり合うことによる大便の流動化を防ぐことができ、流動化した大便による着用者の肌の汚れを確実に防ぐことができる。【００１８】
パネルが吸水性シートおよび不透液性シートとそれらシートの間に介在する吸収性芯材とから形成された物品は、パネルに排泄された尿が吸水性シートを透過して吸収性芯材に吸収保持されるので、パネルに多量の尿を吸収させることができる。この物品は、パネルに吸収された尿が不透液性シートを透過することがなく、尿が表面シートに達することがない。このようにして、パネルに多量の尿を吸収させることができる。この物品は、尿と大便とが混ざり合うことによる大便の流動化を確実に防ぐことができるとともに、流動化した大便による着用者の肌の汚れを確実に防ぐことができる。
【図面の簡単な説明】
【００１９】
【図１】一例として示す使い捨て着用物品の斜視図。
【図２】図１の２−２線矢視断面図。
【図３】図１の３−３線矢視断面図。
【図４】着用状態で示す図１の物品の斜視図。
【図５】他の一例として示す使い捨て着用物品の斜視図。
【図６】図５の６−６線矢視断面図。
【図７】図５の７−７線矢視断面図。
【図８】着用状態で示す図５の物品の斜視図。
【図９】他の一例として示す使い捨て着用物品の斜視図。
【図１０】図９の１０−１０線矢視断面図。
【図１１】図９の１１−１１線矢視断面図。
【図１２】図９の１２−１２線矢視断面図。
【図１３】着用状態で示す図９の物品の斜視図。
【図１４】他の一例として示す使い捨て着用物品の斜視図。
【図１５】図１４の１５−１５線矢視断面図。
【図１６】図１４の１６−１６線矢視断面図。
【図１７】着用状態で示す図１４の物品の斜視図。
【図１８】他の一例として示す使い捨て着用物品の斜視図。
【図１９】図１８の１９−１９線矢視断面図。
【図２０】図１８の２０−２０線矢視断面図。
【図２１】着用状態で示す図１８の物品の斜視図。
【符号の説明】
【００２０】
３０Ａ    使い捨て着用物品
３０Ｂ    使い捨て着用物品
３０Ｃ    使い捨て着用物品
３０Ｄ    使い捨て着用物品
３０Ｅ    使い捨て着用物品
３１    前胴周り域
３２    股下域
３２Ａ    前半分
３３    後胴周り域
３４    両端部
３５    両側部
３６    透液性表面シート
３７    不透液性裏面シート
３８    不透液性防漏カフ
３９    吸液性コア
４０Ａ    肌当接パネル
４０Ｂ    肌当接パネル
４０Ｃ    肌当接パネル
４０Ｄ    肌当接パネル
４１    不透液性仕切り
４２    基部
４３    先端部
４３Ａ    上縁
４４    両端部
４５    伸縮性弾性部材
４６    親水性繊維不織布層
４７    親水性繊維不織布層
４８    両側縁部
４９    中間部
５０    上縁部
５１    下縁部
５２    中央部
５３    両側縁部
６９    親水性第１繊維不織布層
７０    親水性第２繊維不織布層
７１    吸液性コア
７２    内端部分
７４    ウレタンフォーム
７５    スペーサ
７９    両端縁部
８０    中間部
８１    親水性繊維不織布層
８２    プラスチックフィルム
Ｌ１    横中心線
【発明を実施するための最良の形態】
【００２１】
添付の図面を参照し、本発明に係る使い捨て着用物品の詳細を説明すると、以下のとおりである。【００２２】
図１は、一例として示す使い捨て着用物品３０Ａの斜視図である。図２は、図１の２−２線矢視断面図である。図３は、図１の３−３線矢視断面図である。図１では、横方向を矢印Ｌ、縦方向を矢印Ｍで示し、厚み方向を矢印Ｎで示す。【００２３】
物品３０Ａは、縦方向に前胴周り域３１および後胴周り域３３と、それら胴周り域３１，３３の間に位置する股下域３２とを有するとともに、前後胴周り域３１，３３に横方向へ延びる両端部３４と、前後胴周り域３１，３３間に縦方向へ延びる両側部３５とを有する。物品３０Ａは、肌当接側に位置する透液性表面シート３６と、肌非当接側に位置する不透液性裏面シート３７と、表面シート３６の外面の側に位置して縦方向へ延びる一対の不透液性防漏カフ３８と、表裏面シート３６，３７の間に介在してそれらシート３６，３７の内面に接合された吸液性コア３９とから構成されている。コア３９は、両端部３４と両側部３５とを除く前後胴周り域３１，３３と股下域３２とに配置されている。股下域３２の両側部３５は、物品３０Ａの横方向内方へ向かって弧を画いており、物品３０Ａは、その平面形状が砂時計型を有する。防漏カフ３８の間には、横方向へ延びる肌当接パネル４０Ａと不透液性仕切り４１とが配置されている。【００２４】
表面シート３６には、親水性繊維不織布が使用されている。裏面シート３７には、２枚の疎水性繊維不織布をラミネートした複合不織布が使用されている。防漏カフ３８には、撥水処理が施された疎水性繊維不織布が使用されている。コア３９は、粒子状や繊維状の高吸収性ポリマーと親水性繊維、例えばフラッフパルプとの混合物、または、粒子状や繊維状の高吸収性ポリマーとフラッフパルプと熱可塑性合成樹脂繊維との混合物であり、所定の厚みに圧縮されている。コア３９は、その剛性が表裏面シート３６，３７や防漏カフ３８のそれよりも大きい。コア３９は、それの型崩れを防止するため、全体がティッシュペーパー（図示せず）に包被されている。【００２５】
防漏カフ３８は、両側部３５に固着されて縦方向へ延びる基部４２と、基部４２に並行して縦方向へ延びていて表面シート３６の上方へ起立性向を有する先端部４３と、物品３０Ａの横方向内方へ倒伏した状態で両端部３４に固着された両端部４４とから形成されている。基部４２と先端部４３とは、物品３０Ａの両端部３４間に延びている。先端部４３の上縁４３Ａには、縦方向へ延びる伸縮性弾性部材４５が収縮可能に取り付けられており、弾性部材４５は、縦方向へ所定の倍率に伸長された状態で上縁４３Ａに固着されている。弾性部材４５が収縮すると、物品３０Ａが表面シート３６を内側にして縦方向へ湾曲するとともに、防漏カフ３８の先端部４３が表面シート３６の上方へ起立して排泄物に対する障壁を形成する。物品３０Ａは、起立する防漏カフ３８の先端部４３によって排泄物の横漏れが防止される。【００２６】
パネル４０Ａは、横長矩形を有し、表面シート３６の外面の側であって物品３０Ａの縦寸法を二分する横中心線Ｌ１で区画された股下域３２の前半分３２Ａに配置されている。パネル４０Ａは、互いに重なり合う２層の親水性繊維不織布層４６，４７から形成されており、それらは吸水性である。不織布層４６，４７は、それらの対向面が接着剤（図示せず）を介して断続的に固着されている。パネル４０Ａは、物品３０Ａの両側部３５に位置する両側縁部４８と、両側縁部４８の間に位置する中間部４９とを有する。【００２７】
仕切り４１は、横中心線Ｌ１近傍、すなわちパネル４０Ａの中間部４９の横中心線Ｌ１の側に位置する内端部分７２に配置されている。仕切り４１は、表面シート３６とパネル４０Ａとの間に介在している。仕切り４１には、不透液性プラスチックフィルムが使用されている。仕切り４１は、横方向へ延びる上縁部５０および下縁部５１と、上下縁部５０，５１の間に位置して物品３０Ａの厚み方向へ延びる中央部５２と、物品３０Ａの両側部３５に位置する両側縁部５３とを有する。上縁部５０は、パネル４０Ａの内面に固着されており、下縁部５１は、表面シート３６の外面に固着されている。仕切り４１は、物品３０Ａの厚み方向へ３つ折りに畳まれ、その断面形状が図２に示すようにジグザグ状を有する。【００２８】
物品３０Ａの両端部３４は、コア３９の端縁５４から縦方向外方へ延びる表裏面シート３６，３７の端部５５，５６と防漏カフ３８の端部４４とから形成されている。両端部３４では、表裏面シート３６，３７の端部５５，５６が防漏カフ３８の端部４４と重なり合い、表裏面シート３６，３７の内面どうしが固着され、表面シート３６の外面が防漏カフ３８の内面と固着されている。後胴周り域３３の端部３４には、横方向へ延びる帯状の胴周り用弾性部材５７が収縮可能に取り付けられている。胴周り用弾性部材５７は、表面シート３６の端部５５と裏面シート３７の端部５６との間に介在し、横方向へ所定の倍率に伸長させた状態でそれらシート３６，３７の内面に固着されている。【００２９】
物品３０Ａの両側部３５は、表裏面シート３６，３７の側部５９，６０と防漏カフ３８の基部４２とから形成されている。両側部３５では、表面シート３６の側部５９がコア３９の側縁５８から横方向外方へわずかに延び、側部５９からさらに横方向外方へ裏面シート３７の側部６０と防漏カフ３８の基部４２とが延びている。両側部３５では、表裏面シート３６，３７の側部５９，６０と防漏カフ３８の基部４２とが重なり合い、表裏面シート３６，３７の内面どうしが固着され、表裏面シート３６，３７の内外面と防漏カフ３８の内面とが固着されている。【００３０】
両側部３５には、縦方向へ延びる複数条の脚周り用弾性部材６１が収縮可能に取り付けられている。脚周り用弾性部材６１は、裏面シート３７を形成する２層の不織布層の間に介在し、縦方向へ所定の倍率に伸長させた状態でそれら不織布の対向面に固着されている。パネル４０Ａの両側縁部４８は、表面シート３６の側部５９と防漏カフ３８の基部４２との間に介在し、それらシート３６，カフ３８の内外面に固着されている。仕切り４１の両側縁部５３は、表面シート３６の側部５９とパネル４０Ａの側縁部４８との間に介在し、シート３６の外面とパネル４０Ａの内面とに固着されている。【００３１】
後胴周り域３３の両側部３５には、プラスチックフィルムから形成された可撓性のテープファスナ６２が取り付けられている。テープファスナ６２は、横方向へ延びる基端部６３と先端部６４とを有する。基端部６３は、裏面シート３７の側部６０と防漏カフ３８の基部４２との間に介在し、それらシート３７，カフ３８の内面に固着されている。先端部６４の内面には、複数のフックを有する雄型のメカニカルファスナ６５が取り付けられている。先端部６４は、物品３０Ａの横方向内方へ向かって折曲され、フックを介して防漏カフ３８の基部４２の外面に着脱可能に仮止めされている（図２参照）。なお、先端部６４には、メカニカルファスナ６５ではなく、粘着剤が塗布されていてもよい。【００３２】
前胴周り域３１には、テープファスナ６２の先端部６４を着脱可能に止着する可撓性のターゲットテープ６６が取り付けられている。ターゲットテープ６６には、プラスチックフィルムとフィルムから突出する複数のループとから形成された雌型のメカニカルファスナが使用されている。ターゲットテープ６６は、横長矩形を呈し、裏面シート３７の外面に固着されている。テープファスナ６２の先端部６４に粘着剤を塗布する場合は、ターゲットテープ６６にプラスチックフィルムが使用される。【００３３】
図４は、着用状態で示す図１の物品３０Ａの斜視図であり、前後胴周り域３１，３３の一方の側部３５を破断して示している。物品３０Ａを着用するには、後胴周り域３３の両側部３５を前胴周り域３１の両側部３５の外側に重ね合わせた後、テープファスナ６２の先端部６４をターゲットテープ６６に押し付けてフックとループとを係合させ、それによって、先端部６４をターゲットテープ６６に止着する。そのようにして、前胴周り域３１と後胴周り域３３とが連結され、胴周り開口６７と脚周り開口６８とが形成される。【００３４】
物品３０Ａの着用中では、着用者１００の臀部が表面シート３６の外面に当接し、着用者１００のペニス１０１（性器）がパネル４０Ａの中間部４９の外面に当接する。物品３０Ａの股下域３２が着用者１００の大腿によって横方向内方へ押圧され、パネル４０Ａの両側縁部４８間の離間寸法が縮まる。その結果、中間部４９が表面シート３６の上方に向かって横方向へ弧を画き、中間部４９が表面シート３６の外面から上方へ離間する。中間部４９が表面シート３６の外面から上方へ離間することにともなって、表面シート３６とパネル４０Ａとの間に延びる仕切り４１の中央部５２が物品３０Ａの厚み方向へ展開し、それによって、中央部５２が物品３０Ａの厚み方向へ立ち上がり、中央部５２が股下域３２から前胴周り域３１に向かって延びるチャネルを構成する障壁を形成する。物品３０Ａの着用中では、表面シート３６の上方へ弧を画くパネル４０Ａが仕切り４１を吊り上げ、仕切り４１の中央部５２の起立状態が維持される。それゆえ、中央部５２が不用意に倒伏することはなく、仕切り４１が障壁としての機能を失うことはない。物品３０Ａに排泄された尿はパネル４０Ａに吸収され、股下域３２の後半分３２Ｂや後胴周り域３３に排泄された軟便は表面シート３６を透過してコア３９に吸収保持される。パネル４０Ａに吸収しきれない尿は、股下域３２の前半分３２Ａや前胴周り域３１において表面シート３６を透過してコア３９に吸収保持される。【００３５】
物品３０Ａは、その着用中に着用者１００のペニス１０１がパネル４０Ａの外面に当接し、パネル４０Ａの中間部４９が表面シート３６の外面から離間することにともなってペニス１０１が表面シート３６の外面から上方へ離れるので、ペニス１０１が表面シート３６に接することがない。仕切り４１の中央部５２が袋状の障壁を形成するので、股下域３２の後半分３２Ｂと後胴周り域３３とに排泄された軟便が表面シート３６の外面を拡散したとしても、軟便の流動が仕切り４１によって阻止され、軟便が股下域３２の前半分３２Ａや前胴周り域３１へ流動することがない。物品３０Ａに多量の軟便が排泄されたとしても、そのような多量の軟便は仕切り４１に収容され、軟便が仕切り４１を乗り越えてパネル４０Ａの外面に達することはない。【００３６】
物品３０Ａは、表面シート３６とペニス１０１との接触を防ぐことができるとともに、軟便の流動を防ぐことができる。それによって、軟便によるペニス１０１の汚れを確実に防ぐことができる。物品３０Ａに排泄された尿の股下域３２の後半分３２Ｂや後胴周り域３３への流動が仕切り４１によって阻止され、大便の股下域３２の前半分３２Ａや前胴周り域３１への移動が仕切り４１によって阻止される。このようにして、尿と大便とが混ざり合うことによる大便の流動化を防ぐことができ、それによって着用者１００の肌の汚れを防ぐことができる。【００３７】
図５は、他の一例として示す使い捨て着用物品３０Ｂの斜視図である。図６は、図５の６−６線矢視断面図である。図７は、図５の７−７線矢視断面図である。図５では、横方向を矢印Ｌ、縦方向を矢印Ｍで示し、厚み方向を矢印Ｎで示す。【００３８】
この物品３０Ｂが図１のそれと異なるのは、パネル４０Ｂが第１および第２繊維不織布層６９，７０と全体がそれら不織布層６９，７０に被覆された吸液性コア７１とから形成されている点と、パネル４０Ｂの中間部４９が防漏カフ３８の先端部４３に固着されている点とであり、その他の構成は物品３０Ａと同一である。物品３０Ａと同一の符合を付してこの物品３０Ｂにおけるその他の構成の説明は省略する。【００３９】
パネル４０Ｂは、横長矩形を有し、表面シート３６の外面の側であって横中心線Ｌ１で区画された股下域３２の前半分３２Ａに配置されている。パネル４０Ｂは、肌当接側に位置する親水性第１繊維不織布層６９と、肌非当接側に位置する親水性第２繊維不織布層７０と、第１および第２繊維不織布層６９，７０の間に介在する吸液性コア７１とから形成されている。それら不織布層６９，７０は、コア７１の周縁から周方向外方へ延びる部分が互いに重なり合った状態で固着されている。コア７１は、それら不織布層６９，７０の内面に接着剤（図示せず）を介して断続的に接合されている。コア７１は、コア３９と同一の混合物であり、その全体がティッシュペーパー（図示せず）に包被されている。コア７１は、その剛性が第１および第２繊維不織布層６９，７０のそれよりも大きい。【００４０】
パネル４０Ｂは、物品３０Ｂの両側部３５に位置する両側縁部４８と、両側縁部４８の間に位置する中間部４９とを有する。両側縁部４８は、コア７１を除く第１および第２繊維不織布層６９，７０から形成されている。中間部４９は、横中心線Ｌ１の側に位置する内端部分７２の両側が弾性部材４５の近傍において防漏カフ３８の先端部４３、好ましくは上縁４３Ａに固着されている。内端部分７２の両側は、接着剤７３を介して防漏カフ３８の先端部４３に固着されている。中間部４９は、防漏カフ３８の先端部４３が弾性的に起立するのにともなって表面シート３６の上方へ持ち上げられ、表面シート３６の外面から上方へ離間している。なお、中間部４９の両側全体が弾性部材４５の近傍において防漏カフ３８の先端部４３、好ましくは上縁４３Ａに固着されていてもよい。パネル４０Ｂの両側縁部４８は、表面シート３６の側部５９と防漏カフ３８の基部４２との間に介在し、それらシート３６，カフ３８の内外面に固着されている。【００４１】
図８は、着用状態で示す図５の物品３０Ｂの斜視図であり、前後胴周り域３１，３３の一方の側部３５を破断して示している。物品３０Ｂを着用する手順は、物品３０Ａのそれと同一であるので、その説明は省略する。物品３０Ｂの着用中では、着用者１００の臀部が表面シート３６の外面に当接し、着用者１００のペニス１０１（性器）がパネル４０Ｂの中間部４９の外面に当接する。中間部４９が、防漏カフ３８の先端部４３に固着されているので、より一層横方向へ弧を画いて表面シート３６の外面から離間するように表面シート３６の外面から上方へ持ち上げられ易い。【００４２】
物品３０Ｂは、排泄された尿が第１繊維不織布層６９を透過してコア３９だけでなくコア７１にも吸収保持されるので、パネル４０Ｂに多量の尿を吸収させることができる。【００４３】
図９は、他の一例として示す使い捨て着用物品３０Ｃの斜視図である。図１０は、図９の１０−１０線矢視断面図である。図１１は、図９の１１−１１線矢視断面図である。図１２は、図９の１２−１２線矢視断面図である。図９では、横方向を矢印Ｌ、縦方向を矢印Ｍで示し、厚み方向を矢印Ｎで示す。【００４４】
この物品３０Ｃが図１のそれと異なるのは、パネル４０Ｃが第１および第２繊維不織布層６９，７０と全体がそれら不織布層６９，７０に被覆されたウレタンフォーム７４とから形成されている点と、表面シート３６とパネル４０Ｃとの間に横方向へ延びるスペーサ７５が配置されている点とであり、その他の構成は物品３０Ａと同一である。物品３０Ａと同一の符合を付してこの物品３０Ｃにおけるその他の構成の説明は省略する。【００４５】
パネル４０Ｃは、横長矩形を有し、表面シート３６の外面の側であって横中心線Ｌ１で区画された股下域３２の前半分３２Ａに配置されている。パネル４０Ｃは、肌当接側に位置する親水性第１繊維不織布層６９と、肌非当接側に位置する親水性第２繊維不織布層７０（それらは吸水性である）と、第１および第２繊維不織布層６９，７０の間に介在するウレタンフォーム７４（吸収性である）とから形成されている。それら不織布層６９，７０は、ウレタンフォーム７４の周縁から周方向外方へ延びる部分が互いに重なり合った状態で固着されている。ウレタンフォーム７４は、その内部にオープンセルを有する。ウレタンフォーム７４は、それら不織布層６９，７０の内面に接着剤（図示せず）を介して断続的に接合されている。なお、吸収性芯材には、ウレタンフォーム７４の他に、セルローススポンジ、ナイロンスポンジ、スチレンフォームのいずれかを使用することもできる。【００４６】
パネル４０Ｃは、物品３０Ｃの両側部３５に位置する両側縁部４８と、両側縁部４８の間に位置して物品３０Ｃに非固着の中間部４９とを有する。両側縁部４８は、ウレタンフォーム７４を除く第１および第２繊維不織布層６９，７０から形成されている。パネル４０Ｃの両側縁部４８は、表面シート３６の側部５９と防漏カフ３８の基部４２との間に介在し、それらシート３６，カフ３８の内外面に固着されている。【００４７】
スペーサ７５は、図１２に示すように、表面シート３６とパネル４０Ｃとの間に介在し、仕切り４１の近傍、すなわち中間部４９の内端部分７２の側に配置されている。スペーサ７５は、親水性または疎水性の２層の繊維不織布層７６，７７と、繊維不織布層７６，７７に収縮可能に取り付けられた横方向へ延びる複数条の伸縮性弾性部材７８とから形成されている。弾性部材７８は、それら繊維不織布層７６，７７の間に介在し、横方向へ所定の倍率に伸長させた状態で不織布層７６，７７の対向面に接着剤（図示せず）を介して断続的に固着されている。スペーサ７５は、物品３０Ｃの両側部３５に位置する両端縁部７９と、両端縁部７９の間に位置する伸縮可能な中間部８０とを有する。両端縁部７９は、表面シート３６の側部５９とパネル４０Ｃの側縁部４８との間に介在し、シート３６の外面とパネル４０Ｃの内面とに固着されており、スペーサ７５は横方向へ所定の倍率に伸長した状態にある。スペーサ７５の伸長状態が解除され、両側縁部４８どうしがスペーサ７５の収縮力によって物品３０Ｃの横方向内方へ引き寄せられ、パネル４０Ｃの中間部４９が表面シート３６の上方に向かって横方向へ弧を画いている。【００４８】
図１３は、着用状態で示す図９の物品３０Ｃの斜視図であり、前後胴周り域３１，３３の一方の側部３５を破断して示している。物品３０Ｃを着用する手順は、物品３０Ａのそれと同一であるので、その説明は省略する。物品３０Ｃの着用中では、着用者１００の臀部が表面シート３６の外面に当接し、着用者１００のペニス１０１がパネル４０Ｃの外面に当接する。【００４９】
既に述べたとおり、物品３０Ｃは、スペーサ７５の収縮力によってパネル４０Ｃの中間部４９が表面シート３６の上方に向かって弧を画いている。股下域３２が着用者１００の股間部によって横方向内方へ押圧されたときに、中間部４９が表面シート３６の上方に向かって確実に弧を画き、中間部４９が表面シート３６の外面から上方へ確実に離間する。中間部４９が表面シート３６の外面から上方へ離間することにともなって、表面シート３６とパネル４０Ｃとの間に延びる仕切り４１の中央部５２が物品３０Ｃの厚み方向へ展開し、それによって中央部５２が物品３０Ｃの厚み方向へ立ち上がり、中央部５２が股下域３２から前胴周り域３１に向かって延びるチャネルを構成する障壁を形成する。物品３０Ｃの着用中では、表面シート３６の上方へ弧を画くパネル４０Ｃが仕切り４１を吊り上げ、仕切り４１の中央部５２の起立状態が維持される。それゆえ、中央部５２が不用意に倒伏することはなく、仕切り４１が障壁としての機能を失うことはない。物品３０Ｃに排泄された尿は第１繊維不織布層６９を透過してウレタンフォーム７４に吸収保持され、股下域３２の後半分３２Ｂや後胴周り域３３に排泄された軟便は表面シート３６を透過してコア３９に吸収保持される。【００５０】
物品３０Ｃは、排泄された尿が第１繊維不織布層６９を透過してウレタンフォーム７４に吸収保持されるので、パネル４０Ｃに多量の尿を吸収させることができる。スペーサ７５の収縮力によって中間部４９の表面シート３６の上方へ弧を画く形態が維持される。【００５１】
図１４は、他の一例として示す使い捨て着用物品３０Ｄの斜視図である。図１５は、図１４の１５−１５線矢視断面図である。図１６は、図１４の１６−１６線矢視断面図である。図１４では、横方向を矢印Ｌ、縦方向を矢印Ｍで示し、厚み方向を矢印Ｎで示す。【００５２】
この物品３０Ｄが図１のそれと異なるのは、パネル４０Ｄが親水性繊維不織布層８１および不透液性プラスチックフィルム８２と全体が不織布層８１およびフィルム８２に被覆された吸液性コア７１とから形成されている点と、パネル４０Ｄの中間部４９が防漏カフ３８の先端部４３に固着されている点と、表面シート３６とパネル４０Ｄとの間に横方向へ延びるスペーサ７５が配置されている点とであり、その他の構成は物品３０Ａと同一である。物品３０Ａと同一の符合を付してこの物品３０Ｄにおけるその他の構成の説明は省略する。【００５３】
パネル４０Ｄは、横長矩形を呈し、表面シート３６の外面の側であって物品３０Ｄの縦寸法を二分する横中心線Ｌ１で区画された股下域３２の前半分３２Ａに配置されている。パネル４０Ｄは、肌当接側に位置する親水性繊維不織布層８１（透水性である）と、肌非当接側に位置する不透液性プラスチックフィルム８２（不透液性である）と、不織布層８１およびフィルム８２の間に介在する吸液性コア７１とから形成されている。不織布層８１とフィルム８２とは、コア７１の周縁から周方向外方へ延びる部分が互いに重なり合った状態で固着されている。なお、パネル４０Ｄでは、不透液性プラスチックフィルム８２に代えて、疎水性繊維不織布を使用することもできる。コア７１は、不織布層８１とフィルム８２との内面に接着剤（図示せず）を介して断続的に接合されている。コア７１は、コア３９と同一の混合物であり、その全体がティッシュペーパー（図示せず）に包被されている。コア７１は、その剛性が不織布８１やフィルム８２のそれよりも大きい。【００５４】
パネル４０Ｄは、物品３０Ｄの両側部３５に位置する両側縁部４８と、両側縁部４８の間に位置する中間部４９とを有する。両側縁部４８は、コア７１を除く不織布層８１とフィルム８２とから形成されている。中間部４９は、横中心線Ｌ１の側に位置する内端部分７２の両側が弾性部材４５の近傍において防漏カフ３８の先端部４３、好ましくは上縁４３Ａに固着されている。なお、中間部４９の両側全体が弾性部材４５の近傍において防漏カフ３８の先端部４３に固着されていてもよい。パネル４０Ｄの両側縁部４８は、表面シート３６の側部５９と防漏カフ３８の基部４２との間に介在し、それらシート３６，カフ３８の内外面に固着されている。【００５５】
スペーサ７５は、表面シート３６とパネル４０Ｄとの間に介在し、仕切り４１の近傍、すなわち中間部４９の内端部分７２の側に配置されている。スペーサ７５は、親水性または疎水性の２層の繊維不織布層７６，７７と、繊維不織布層７６，７７に収縮可能に取り付けられた横方向へ延びる複数条の伸縮性弾性部材７８とから形成されている。弾性部材７８は、それら不織布層７６，７７の間に介在し、横方向へ所定の倍率に伸長させた状態で不織布層７６，７７の対向面に接着剤（図示せず）を介して断続的に固着されている。スペーサ７５は、物品３０Ｄの両側部３５に位置する両端縁部７９と、両端縁部７９の間に延びている伸縮可能な中間部８０とを有する。両端縁部７９は、表面シート３６の側部５９とパネル４０Ｄの両側縁部４８との間に介在し、シート３６の外面とパネル４０Ｄの内面とに固着されており、スペーサ７５は横方向へ所定の倍率に伸長した状態にある。【００５６】
物品３０Ｄでは、パネル４０Ｄの中間部４９が防漏カフ３８の先端部４３の起立にともなって表面シート３６の外面から上方に離間する。さらに、スペーサ７５の伸長状態が解除され、両側縁部４８どうしがスペーサ７５の収縮力によって物品３０Ｄの横方向内方へ引き寄せられ、パネル４０Ｄの中間部４９が表面シート３６の上方に向かって横方向へ弧を画いている。【００５７】
図１７は、着用状態で示す図１３の物品３０Ｄの斜視図であり、前後胴周り域３１，３３の一方の側部３５を破断して示している。物品３０Ｄを着用する手順は、物品３０Ａのそれと同一であるので、その説明は省略する。物品３０Ｄの着用中では、着用者１００の臀部が表面シート３６の外面に当接し、着用者１００のペニス１０１がパネル４０Ｄの外面に当接する。【００５８】
既に述べたとおり、物品３０Ｄは、パネル４０Ｄの中間部４９が防漏カフ３８の先端部４３の起立によって表面シート３６の外面から上方へ持ち上げられており、さらに、スペーサ７５の収縮力によってパネル４０Ｄの中間部４９が表面シート３６の上方に向かって弧を画いている。そのような構成により、物品３０Ｄの着用中に股下域３２が着用者１００の大腿によって横方向内方へ押圧されたときに、中間部４９が表面シート３６の上方に向かって確実に弧を画くとともに、中間部４９が表面シート３６の外面から上方へ確実に離間する。物品３０Ｄに排泄された尿は繊維不織布層８１を透過してコア７１に吸収保持され、排泄された軟便は表面シート３６を透過してコア３９に吸収保持される。【００５９】
物品３０Ｄでは、尿不透過性のフィルム８２によって尿の表面シート３６への移行が阻止され、仕切り４１によって大便の股下域３２の前半分３２Ａや前胴周り域３１への移動が阻止される。このように、尿と大便とが混ざり合うことによる大便の流動化を防ぐことができ、それによって着用者１００の肌の汚れを防ぐことができる。物品３０Ｄは、排泄された尿が繊維不織布層８１を透過してコア７１に吸収保持され、パネル４０Ｄに多量の尿を吸収させることができる。スペーサ７５の収縮力によって中間部４９の表面シート３６の上方へ弧を画く形態が維持される。【００６０】
図１８は、他の一例として示す使い捨て着用物品３０Ｅの斜視図である。図１９は、図１８の１９−１９線矢視断面図である。図２０は、図１８の２０−２０線矢視断面図である。図１８では、横方向を矢印Ｌ、縦方向を矢印Ｍで示し、厚み方向を矢印Ｎで示す。【００６１】
この物品３０Ｅが図１のそれと異なるのは、パネル４０Ａの両側縁部４８が防漏カフ３８の先端部４３に固着されている点と、パネル４０Ａが前胴周り域３１と股下域３２の前半分３２Ａとに配置されている点と、仕切り４１の両側縁部５３が物品３０Ｅに固着されていない点とであり、その他の構成は物品３０Ａと同一である。物品３０Ａと同一の符合を付してこの物品３０Ｅにおけるその他の構成の説明は省略する。【００６２】
パネル４０Ａは、縦長矩形を有し、表面シート３６の外面の側であって前胴周り域３１の後半分と横中心線Ｌ１で区画された股下域３２の前半分３２Ａとに配置されている。パネル４０Ａは、互いに重なり合う２層の親水性繊維不織布層４６，４７（吸水性シート）から形成されている。不織布層４６，４７は、それらの対向面が接着剤（図示せず）を介して断続的に固着されている。パネル４０Ａは、防漏カフ３８の先端部４３に固着された両側縁部４８と、両側縁部４８の間に位置して物品３０Ｅに非固着の中間部４９とを有する。両側縁部４８と中間部４９とは、防漏カフ３８の先端部４３の起立にともなって表面シート３６の上方へ持ち上げられ、表面シート３６の外面から上方に離間している。【００６３】
仕切り４１は、表面シート３６とパネル４０Ａとの間に介在し、横中心線Ｌ１近傍、すなわちパネル４０Ａの中間部４９の横中心線Ｌ１の側に位置する内端部分７２に配置されている。仕切り４１は、上縁部５０および下縁部５１と、上下縁部５０，５１の間に位置する中央部５２と、物品３０Ｅの両側部３５に位置する両側縁部５３とを有する。中央部５２と両側縁部５３とは、物品３０Ｅの厚み方向へ３つ折りに畳まれている。両側縁部５３は、表面シート３６やパネル４０Ａに固着されていない。【００６４】
図２１は、着用状態で示す図１７の物品３０Ｅの斜視図であり、前後胴周り域３１，３３の一方の側部を破断して示している。物品３０Ｅを着用する手順は、物品３０Ａのそれと同一であるので、その説明は省略する。物品３０Ｅの着用中では、着用者１００の臀部が表面シート３６の外面に当接し、着用者１００のペニス１０１がパネル４０Ａの外面に当接する。防漏カフ３８の先端部４３が表面シート３６の上方へ持ち上げられると、パネル４０Ａの中間部４９が表面シート３６の外面と離間する。【００６５】
物品３０Ｅでは、仕切り４１の両側縁部５３が防漏カフ３８の先端部４３に固着されていなくても、仕切り４１の中央部５２が袋状の障壁を形成し、股下域３２の後半分３２Ｂと後胴周り域３３とに排泄された軟便が表面シート３６の外面を拡散したとしても、軟便が股下域３２の前半分３２Ａや前胴周り域３１へ流動することを防止する。物品３０Ｅに多量の軟便が排泄されたとしても、そのような多量の軟便が仕切り４１によって形成された袋状の障壁に確実に収容され、軟便が仕切り４１を乗り越えてパネル４０Ａの外面に達することはない。【００６６】
表面シート３６には、親水性繊維不織布に限らず、多数の開孔を有する疎水性繊維不織布、微細な多数の開孔を有するプラスチックフィルムのいずれかを使用することもできる。裏面シート３７には、複合不織布に限らず、疎水性繊維不織布、通気不透液性プラスチックフィルム、疎水性繊維不織布と通気不透液性プラスチックフィルムとをラミネートした複合シートのいずれかを使用することもできる。仕切り４１には、プラスチックフィルムに限らず、疎水性繊維不織布を使用することもできる。裏面シート３７や防漏カフ３８、仕切り４１には、高い耐水性を有するメルトブローン不織布の両面または片面に高い強度と良好な柔軟性とを有するスパンボンド不織布をラミネートした複合不織布（ＳＭ不織布、ＳＭＳ不織布、ＳＭＭＳ不織布）を使用することもできる。【００６７】
繊維不織布層には、スパンレース、ニードルパンチ、メルトブローン、サーマルボンド、スパンボンド、ケミカルボンドの各製法により製造された不織布層を使用することができる。不織布層の構成繊維には、ポリエステル系、ポリアクリロニトリル系、ポリ塩化ビニル系、ポリエチレン系、ポリプロピレン系、ポリスチレン系を使用することができる。構成繊維には、芯鞘型複合繊維、並列型複合繊維、異型中空繊維、微多孔繊維、接合型複合繊維を使用することもできる。【００６８】
表裏面シート３６，３７どうしの固着、シート３６，３７と防漏カフ３８との固着、シート３６，３７に対するコア６１の接合、構成要素３６，３７，３８に対するパネル４０Ａ，４０Ｂ，４０Ｃ，４０Ｄの固着、構成要素３６，３７，３８に対する弾性部材４５，５７，６１の固着には、接着剤、または、ヒートシールやソニックシール等の熱による溶着手段を利用することができる。接着剤には、ホットメルト型接着剤やアクリル系接着剤、ゴム系接着剤を使用することができる。【００６９】
接着剤は、表面シート３６や裏面シート３７、防漏カフ３８にスパイラル状や波状、ジグザグ状、ドット状、縞状のうちのいずれかの態様で塗布されていることが好ましい。接着剤をそれらの態様で構成要素３６，３７，３８に塗布すると、それら構成要素３６，３７，３８に接着剤が塗布された塗布域と接着剤が塗布されていない非塗布域とが形成され、それら構成要素３６，３７，３８どうしが断続的に固着され、コア３９が構成要素３６，３７に断続的に接合されるとともに、弾性部材４５，５７，６１が構成要素３６，３７，３８に断続的に固着される。【００７０】
物品３０Ａ，３０Ｅには、パネル４０Ａに代えて、パネル４０Ｂ，４０Ｃ，４０Ｄのいずれかを取り付けることもできる。物品３０Ｂには、パネル４０Ｂに代えて、パネル４０Ａ，４０Ｃ，４０Ｄのいずれかを取り付けることもできる。物品３０Ｃには、パネル４０Ｃに代えて、パネル４０Ａ，４０Ｂ，４０Ｄのいずれかを取り付けることもできる。物品３０Ｄは、パネル４０Ｄに代えて、パネル４０Ａ，４０Ｂ，４０Ｃのいずれかを取り付けることもできる。また、物品３０Ａ，３０Ｂ，３０Ｃ，３０Ｄは、パネル４０Ａ，４０Ｂ，４０Ｃ，４０Ｄが股下域３２の前半分３２Ａと前胴周り域３１とに配置されていてもよい。物品３０Ｅは、パネル４０Ａが股下域３２の前半分３２Ａのみに配置されていてもよい。物品３０Ａ，３０Ｃは、両側部３５に防漏カフ３８が取り付けられていなくてもよい。
【図１】
0004791362.tif 000002
【図２】
0004791362.tif 000003
【図３】
0004791362.tif 000004
【図４】
0004791362.tif 000005
【図５】
0004791362.tif 000006
【図６】
0004791362.tif 000007
【図７】
0004791362.tif 000008
【図８】
0004791362.tif 000009
【図９】
0004791362.tif 000010
【図１０】
0004791362.tif 000011
【図１１】
0004791362.tif 000012
【図１２】
0004791362.tif 000013
【図１３】
0004791362.tif 000014
【図１４】
0004791362.tif 000015
【図１５】
0004791362.tif 000016
【図１６】
0004791362.tif 000017
【図１７】
0004791362.tif 000018
【図１８】
0004791362.tif 000019
【図１９】
0004791362.tif 000020
【図２０】
0004791362.tif 000021
【図２１】
0004791362.tif 000022